(57)【要約】【目的】構造が簡単であって、かつ、使用上、違和感がなく、被切断物の切断時における不慮のトラブルの発生のおそれがなく、粘着テープなどの粘着性の高い被切断物の粘着剤が刃体に付着し難いシート用刃物やはさみを提供することにある。【解決手段】はさみ本体の刃体１２ａ、１２ｂの切先１６ａ、１６ｂ側の棟２０ａ、２０ｂ側の端Ｘから刃部２２ａ、２２ｂの支軸１４側の端Ｙを越えた刃体１２ａ、１２ｂの刃先１８ａ、１８ｂ側の端Ｚに至る折目２４ａ、２４ｂが該刃部２２ａ、２２ｂの前記の棟２０ａ、２０ｂ側にそれぞれ形成され、前記のそれぞれの折目２４ａ、２４ｂを境にして前記した刃部２２ａ、２２ｂが互いに内側に向けて折曲されてなるものである。【選択図】        図３
2004248707.tif 000002
【特許請求の範囲】
【請求項１】
細長く、かつ、板状の一対の刃体のうち、一方の刃体が支軸を介して回動自在に設けられ、前記の一対の刃体の長手方向の一側端に支軸側から切先にかけて刃先が設けられてなるシート用刃物であって、
前記の一対の刃体が前記の支軸側から切先側にかけて互いに内側に向けて緩やかに湾曲され、
一方、前記したそれぞれの刃体の刃先から刃体の棟側にかけて、かつ、刃先に沿わせて帯状の刃部が刃体の内側に向けて傾斜してそれぞれ設けられ、
該刃体の切先側の棟側の端から刃部の支軸側の端を越えた刃体の刃先側の端に至る折目が該刃部の前記の棟側にそれぞれ形成され、
前記のそれぞれの折目を境にして前記した刃部が互いに内側に向けて折曲されてなることを特徴とするシート用刃物。
【請求項２】
はさみであることを特徴とする請求項１記載のシート用刃物。
【請求項３】
裁断器であることを特徴とする請求項１記載のシート用刃物。
【請求項４】
ギロチンカッタであることを特徴とする請求項１記載の用シート用刃物。
【請求項５】
細長く、かつ、板状の一対の刃体が支軸を介して回動自在に設けられ、前記の一対の刃体の長手方向の一側端に支軸側から切先にかけて刃先が設けられてなるシート用刃物であって、
前記の一対の刃体が前記の支軸側から切先側にかけて互いに内側に向けて緩やかに湾曲され、
一方、前記したそれぞれの刃体の刃先から刃体の棟側にかけて、かつ、刃先に沿わせて帯状の刃部が刃体の内側に向けて傾斜してそれぞれ設けられ、
該刃体の切先側の棟側の端から刃部の支軸側の端を越えた刃体の刃先側の端に至る折目が該刃部の前記の棟側にそれぞれ形成され、
前記のそれぞれの折目を境にして前記した刃部が互いに内側に向けて折曲されてなることを特徴とするはさみ。
【請求項６】
刃体の内側面に微細な凸部などの摩擦機構が設けられてなることを特徴とする請求項１、２、３または４記載のシート用刃物。
【請求項７】
刃体の内側面に微細な凸部などの摩擦機構が設けられてなることを特徴とする請求項５記載のはさみ。
【発明の詳細な説明】
【０００１】
【発明が属する技術分野】
この発明は、はさみ類や裁断器、ギロチンカッタの改良に関するもので、とりわけ、粘着性に富んだ被裁断物を切断するシート用刃物やはさみに関する。
【０００２】
【従来の技術】
この種の従来例として、はさみについていえば、特開２００１−３１４６６９号公報に記載された発明が知られている。
この従来例は、切断刃２３と刃部２１を備えた第１の刃本体１２ａと第２の刃本体１２ｂが両者の一側において樹脂ワッシャ３７を介在させて連結回動軸１３により連結され、両者の刃本体１２ａ、１２ｂの刃部２１の外側縁であって、かつ、切先側に背部切欠き部２５が、一方、両者の刃本体１２ａ、１２ｂの刃部２１の内側縁であって、かつ、連結回動軸１３側に腹部切欠き部２４がそれぞれ設けられ、両切欠き部２４、２５間を繋ぐ折り線２６で刃部２１の先端部を対向する刃部２１側が所定の角度αに折曲され、前記の両切欠き部２４、２５間を繋ぐ折り線２６と切断刃２３とのなす角度βが僅かに傾斜されてなるものであって、刃部２１の裏面側に間隙ｄを設けることにより、粘着テープの切断時に粘着剤がはさみの刃体に付着し難くするようにされているものであった（特許文献１）。
【０００３】
一方、ギロチンカッタの従来例についていえば、たとえば、特開平５−２００６９１号公報に記載された発明が知られている。
この従来例は、可動刃１１の左右の切り欠き凹部１２の内側の刃先１３の始端が、非同時点に固定刃１５に接触するごとく、切断運動方向に段差を設け、また、切り欠き凹部１２の内側の剪断面を外側に大きくすることにより、所用切断力の平準化を図るようにしているものであった（特許文献２）。
【０００４】
【特許文献１】
特開２００１−３１４６６９号公報
【特許文献２】
特開平５−２００６９１号公報
【０００５】
特許文献１に記載されたはさみでは、両切欠き部２４、２５間を繋ぐ折り線２６で刃部２１の先端部を対向する刃部２１側が所定の角度αに折曲げられ、前記の両切欠き部２４、２５間を繋ぐ折り線２６と切断刃２３とのなす角度βが僅かに傾斜されてなるもので、刃部２１の裏面側に間隙ｄを設けることにより、粘着テープの粘着剤がはさみの刃体１２ａ、１２ｂに付着し難くするようにされていた。
【０００６】
しかし、粘着テープの粘着剤がはさみの刃体１２ａ、１２ｂに付着し難くするようにするために刃部２１の裏面側に間隙ｄが設けられているものの、その間隙ｄを設けるため、前記したように、腹部切欠き部２４や背部切欠き部２５を設けたり、連結回動軸１３に樹脂ワッシャ３７を介在させることにより、刃体１２ａ、１２ｂ間の間隔を調整するようにされていた。
そして、注目されることに、両切欠き部２４、２５間を繋ぐ折り線２６を基準にして刃部２１の先端部が対向するように刃部２１側が所定の角度αに折曲げられたに止まるから、前記した間隙ｄは腹部切欠き部２４および背部切欠き部２５の間にのみ形成され、腹部切欠き部２４の連結回動軸１３側および背部切欠き部２５の切先側の刃部２１の裏面側には間隙ｄが形成されないという決定的な問題があった。
【０００７】
したがって、使用上の違和感のあることはもちろん、腹部切欠き部２４の連結回動軸１３側および背部切欠き部２５の切先側の刃部２１には前記した間隙ｄが形成されない結果、目的とする粘着テープの粘着剤がはさみの刃体１２ａ、１２ｂに付着し難くできないという問題があった。
【０００８】
したがって、構造が複雑化することは勿論、使用時に一方の刃体１２ａの切断刃２３や一方の腹部切欠き部２４が他方の刃体１２ｂの腹部切欠き部２４に引っ掛かったりするなどのおそれのあることのほか、使用上、不慮のトラブルの発生のおそれが少なくないなどの問題点があった。
【０００９】
とりわけ、前記したように、一方の刃体１２ａの切断刃２３や一方の腹部切欠き部２４が他方の刃体１２ｂの腹部切欠き部２４に引っ掛かるおそれを解消するッシャ３７を介在させていることにより、使用上の違和感のあることはもちろん、間隙ｄが従来のはさみに比較して広くなることを回避できなかった。
【００１０】
その結果、連結回動軸１３側の刃体１２ａ、刃体１２ｂの摺接ができないおそれが生じて被切断物の切断が不能になるおそれがあり、他方、切先側の刃体１２ａ、刃体１２ｂの摺接が過度になるおそれがあり、被切断物の切断が不能になるおそれがあった。
【００１１】
他方、特許文献１に記載されたいわゆるギロチンカッタでは切断力の平準化を図るようにしているものの、粘着テープなどの粘着性の高い被切断物の粘着剤がギロチンカッタの可動刃１１や固定刃１５に付着し難くするようにする配慮は一切配慮されていなかった。
【００１２】
【発明が解決しようとする課題】
この発明の目的は、構造が簡単であって、かつ、使用上、違和感がなく、被切断物の切断時における不慮のトラブルの発生のおそれがなく、粘着テープなどの粘着性の高い被切断物の粘着剤が刃体に付着し難いシート用刃物やはさみを提供することにある。
【００１３】
【問題を解決するための手段および作用効果】
上記の目的を達成するため、請求項１記載のシート用刃物の発明は、
細長く、かつ、板状の一対の刃体のうち、一方の刃体が支軸を介して回動自在に設けられ、前記の一対の刃体の長手方向の一側端に支軸側から切先にかけて刃先が設けられてなるシート用刃物であって、前記の一対の刃体が前記の支軸側から切先側にかけて互いに内側に向けて緩やかに湾曲され、一方、前記したそれぞれの刃体の刃先から刃体の棟側にかけて、かつ、刃先に沿わせて帯状の刃部が刃体の内側に向けて傾斜してそれぞれ設けられ、該刃体の切先側の棟側の端から刃部の支軸側の端を越えた刃体の刃先側の端に至る折目が該刃部の前記の棟側にそれぞれ形成され、前記のそれぞれの折目を境にして前記した刃部が互いに内側に向けて折曲されてなることを特徴とするものである。
【００１４】
請求項１記載のシート切断器の発明は、一対の刃体と支軸の３点からなるから、その構造は、一方の刃体が支軸を介して互いに回動自在であるものの、従来のはさみ類などの刃物類の構造と比較して簡単であり、その上、その構造は従来例のはさみなどに比較して遜色がないから、使用上の違和感がない。
さらに、簡単な構造ながら、被切断物の切断時における不慮のトラブルの発生のおそれがなく、粘着テープなどの粘着性の高い被切断物の粘着剤が刃体に付着し難いシート用刃物を得ることができる。
【００１５】
請求項２記載の発明は、請求項１記載のシート用刃物の発明において、はさみであることを特徴とするものである。
【００１６】
請求項２記載のシート用刃物の発明は、上記の構成であるから、一方の刃体のみが支軸を介して回動自在に設けられているものの、請求項１記載のシート用刃物と共通の作用効果を奏するはさみを得ることができる。
【００１７】
請求項３記載の発明は、請求項１記載のシート用刃物の発明において、裁断器であることを特徴とするものである。
【００１８】
請求項３記載のシート用刃物の発明は、上記の構成であるから、請求項１記載のシート用刃物と共通の作用効果を奏する裁断器を得ることができる。
【００１９】
請求項４記載発明は、請求項１記載のシート用刃物の発明において、ギロチンカッタであることを特徴とするものである。
【００２０】
請求項４記載のシート用刃物の発明は、上記の構成であるから、請求項１記載のシート用刃物と共通の作用効果を奏するギロチンカッタを得ることができる。
【００２１】
請求項５記載のはさみの発明は、細長く、かつ、板状の一対の刃体が支軸を介して回動自在に設けられ、前記の一対の刃体の長手方向の一側端に支軸側から切先にかけて刃先が設けられてなるシート用刃物であって、前記の一対の刃体が前記の支軸側から切先側にかけて互いに内側に向けて緩やかに湾曲され、一方、前記したそれぞれの刃体の刃先から刃体の棟側にかけて、かつ、刃先に沿わせて帯状の刃部が刃体の内側に向けて傾斜してそれぞれ設けられ、該刃体の切先側の棟側の端から刃部の支軸側の端を越えた刃体の刃先側の端に至る折目が該刃部の前記の棟側にそれぞれ形成され、前記のそれぞれの折目を境にして前記した刃部が互いに内側に向けて折曲されてなることを特徴とするものである。
【００２２】
請求項５記載のはさみの発明は、上記の構成であるから、一対の刃体が支軸を介して互いに回動自在に設けられているものの、請求項１記載のシート用刃物と共通の作用効果を奏するはさみを得ることができる。
【００２３】
請求項６記載のシート用刃物の発明は、請求項１、２、３または４記載のシート用刃物の発明において、刃体の内側面に微細な凸部などの摩擦機構が設けられてなることを特徴とするものである。
【００２４】
請求項６記載の発明は、上記の構成であるから、請求項１、２、３または４記載の発明と共通の作用効果を奏するほか、刃体の内側面に微細な凸部などの摩擦係機構が設けられているから、粘着テープなどの粘着性の高い被切断物の切断時に被切断物の粘着材が一層、刃体に付着し難いシート用刃物を得ることができる。
【００２５】
請求項７記載のはさみの発明は、請求項５記載のはさみの発明において、刃体の内側面に微細な凸部などの摩擦機構が設けられてなることを特徴とするものである。
【００２６】
請求項７記載のはさみの発明は、上記の構成であるから、請求項５記載の発明が奏する作用効果のほか、粘着テープなどの粘着性の高い被切断物の切断時に被切断物の粘着材が一層、刃体に付着し難いはさみを得ることができる。
【００２７】
【発明の実施の形態】
この発明の実施の形態に係るシート用刃物は、はさみと裁断器の適用例であり、以下にその実施の形態について図面を参照して説明する。
図１は実施の形態に係るはさみの一対の刃体を閉じた状態を示す平面図、図２は一対の刃体を開いた状態を示す平面図、図３は図２の要部の正面図、図４は図３のＡ−Ａ線拡大縦断面図、図５は図３のＢ−Ｂ線拡大縦断面図、図６他のはさみの例の要部の正面図、図７は図６のＣ−Ｃ線拡大縦断面図、図８はさらに他のはさみの例の要部の正面図、図９は図８のＤ−Ｄ線拡大縦断面図、図１０は他の実施の形態であって裁断器の正面斜視図、図１１は図１０の背面斜視図である。
なお、図３の符号「２４ａ」および図１０の符号「２４ｂ」は、本来見えない折目であるが、説明の便宜のため表してある。
【００２８】
発明の実施の形態はシート用刃物のうちはさみの適用例である。
そして、シート用刃物の例は、一方の刃体のみが支軸を介して回動自在に設けられている理髪用のはさみ、事務用に広く採用されている裁断器、紙加工に採用されるいわゆるギロチンカッタである。
しかし、その構造は断りのない限り基本的にはさみの構造と変化しないから、主としてはさみを例に挙げて説明する。
さらに、はさみの一対の刃体は互い支軸を介して回動自在に設けられていることが普通であるから、断りのない限り一対の刃体が互い支軸を介して回動自在に設けられている例について言及されている。
【００２９】
図１および２に示されるシート用刃物の例は一対の刃体１２ａ、１２ｂが互い支軸を介して回動自在に設けられているはさみＳの例である。
知られるように一対の刃体１２ａ、１２ｂの一側に図１および図２では一方のハンドル１０は図示が省略されているが、一対のハンドル１０が備えられている。
そして、知られるように細長く、かつ、板状の一対の刃体１２ａ、１２ｂが互いに一側の支軸１４を介して回動自在に設けられている（図１、図２、図３を参照）。
ここに、一対の刃体１２ａ、１２ｂがそれぞれ一側の支軸１４を介して回動自在に設けられていることを説明したが、一対の刃体１２ａ、１２ｂのうち、いずれか一方の刃体のみが回動する場合もある。
【００３０】
したがって、一対の刃体１２ａ、１２ｂのうち、一方の刃体１２ａが固定の刃体となり、他方の刃体１２ｂが可動の刃体となることを意味している。
裁断器、ギロチンカッタでは、一方の刃体が固定の刃体となり、他方の刃体１が可動の刃体となることは広く知られるとおりである。
また、一般的ではないものの、はさみにおいてもたとえば、理髪用のはさみでは、一方の刃体が固定の刃体となり、他方の刃体が可動の刃体とされることは稀ではない。
【００３１】
さらに続けて説明すると、知られるように、細長く、かつ、板状の一対の刃体１２ａ、１２ｂの長手方向の一側端に支軸１４側からそれぞれの切先１６ａ、１６ｂにかけて知られるように刃先１８ａ、１８ｂがそれぞれ設けられている（図３を参照）。
【００３２】
また、前記した一対の刃体１２ａ、１２ｂは、互いに前記した支軸１４側から切先１６ａ、１６ｂにかけて内側に緩やかに湾曲されている（図２を参照）。
一対の刃体１２ａ、１２ｂが緩やかに湾曲されることにより、一対の刃体１２ａ、１２ｂを開いたときには、肉眼で観察してもその湾曲を確認できる程度に湾曲されているものの、切断時につまり一対の刃体１２ａ、１２ｂを閉じた状態では、その湾曲は注意深く観察して確認できる程度の湾曲といえるが、湾曲されていることにより、刃体１２ａ、１２ｂの摺接応力が増加し、被切断物の切断時に切断の確実性が期待できる。
一対の刃体１２ａ、１２ｂの摺接応力が弱い場合には、被切断物の切断時に刃体１２ａ、１２ｂの切先１６ａ、１６ｂ間にとりわけ間隙が発生し、被切断物の切断を行い難くなる点を考慮して上記の湾曲が設けられている。
【００３３】
刃体１２ａ、１２ｂの摺接応力の保持をしつつ、併せて粘着テープなどの粘着性の高い被切断物の粘着剤が刃体１２ａ、１２ｂに付着し難いはさみを得るという課題解決のため、この発明の実施の形態では次のような工夫が凝らされている。
【００３４】
前記した刃体１２ａ、１２ｂの長手方向の一側端に設けられたそれぞれの刃先１８ａ、１８ｂから刃体１２ａ、１２ｂの棟２０ａ、２０ｂ側にかけ、かつ、刃先１８ａ、１８ｂに沿わせて帯状の刃部２２ａ、２２ｂがそれぞれ刃体１２ａ、１２ｂの内側に向けて傾斜して設けられている（図３、図４および図５を参照）。
【００３５】
前記した刃体１２ａ、１２ｂの該切先１６ａ、１６ｂ側の端Ｘからそれぞれの刃部２２ａ、２２ｂの支軸１４側の端Ｙを越えた刃体１２ａ、１２ｂの切先１６ａ、１６ｂ側の端Ｚに至る折目２４ａ、２４ｂがそれぞれ形成されている。
【００３６】
そして前記のそれぞれの折目２４ａ、２４ｂを境にして前記した刃部２２ａ、２２ｂがそれぞれ互いに内側に向けてたとえば、プレス加工により一定の角度αにより折曲されている（図４、図５を参照）。
前記した一定の傾斜角度αは、１〜２０度の範囲であればよいが、好ましくは５〜１０度がよい。
【００３７】
かくして、折目２４ａ、２４ｂを境にして前記した刃部２２ａ、２２ｂが内側に向けて一定の角度αにより傾斜されることにより、刃体１２ａ、１２ｂの裏面に前記した特許文献１の発明と異なり、刃体１２ａ、１２ｂの全長に亘る間隙ｄが形成される（図５を参照）。
前記した間隙ｄは好ましくは０．２〜０．２５ｍｍである。
この間隙ｄが形成されることにより、粘着テープなどの粘着性の高い被切断物の粘着剤が刃体１２ａ、１２ｂに裏面に付着することが少ない。
【００３８】
その上、間隙ｄの形成手段は、前記の折目２４ａ、２４ｂを基準にして刃部２２ａ、２２ｂを折曲することにより形成されているから、特許文献１の発明のように、支軸側や切先側の刃体１２ａ、１２ｂ間に間隙が発生することは一切ない。
【００３９】
したがって、この発明では、刃体１２ａ、１２ｂに裏面の全域に間隙ｄが形成されるので、刃体１２ａ、１２ｂの裏面の全域に粘着剤が付着することが少ない。
【００４０】
この発明の実施の形態では、さらに、刃体１２ａ、１２ｂの裏面に粘着剤を付着し難くすることを意図として工夫が凝らされているから、引き続き説明する。
図６および図７に示されるはさみの例は、はさみの一方の刃体１２ａの裏面であるが、微細な凹部が無数に設けられることにより摩擦機構２６が形成され、粘着テープなどの粘着性の高い被切断物の切断時に被切断物の粘着材が一層、刃体１２ａの裏面に付着し難いように図られている。
【００４１】
図８および図９に示されるはさみの例は、一方の刃体１２ａの裏面であるが、微細な条溝が多数に設けられることにより摩擦機構２６が形成され、粘着テープなどの粘着性の高い被切断物の切断時に被切断物の粘着材が一層、刃体１２ａの裏面に付着し難いように図られている。
【００４２】
前記したように、以上に記載したはさみの例は、刃体１２ａ、１２ｂの一方または一対を問わず、支軸１４を介して回動自在であるが、これらのうち、刃体１２ａ、１２ｂの一方が回動自在である場合は、他の構成はそっくりシート用刃物の例である事務用の裁断器Ｋやギロチンカッタにも採用できる。
【００４３】
そこで、事務用の裁断器Ｋとギロチンカッタのうち、事務用の裁断器Ｋについてその実施の形態を以下に説明する。
図１０および図１１に示される例は、事務用の裁断器Ｋである。
【００４４】
細長く、かつ、板状の一対の刃体１２ａ、１２ｂのうち、一方の刃体１２ｂがいわゆる可動刃として支軸１４を介して回動自在に設けられている。
一方、基台２８の正面に固定された他方の１２ａはいわゆる固定刃として構成されている。
【００４５】
前記の一対の刃体１２ａ、１２ｂの長手方向の一側端に支軸側から切先にかけて刃先が設けられている。
この例の場合、用語「切先」とは支軸１４に対向する刃体１２ａ、１２ｂの先端部に相当する。
図示を省略したが、先に説明したはさみのように一対の刃体１２ａ、１２ｂのが前記の支軸１４側から切先側にかけて互いに内側に向けて緩やかに湾曲されている（図２を参照。
【００４６】
一方、図示を省略したが、先に説明したはさみのように前記したそれぞれの刃体１２ａ、１２ｂの刃先から刃体１２ａ、１２ｂの棟側にかけて、かつ、刃先に沿わせて帯状の刃部が刃体の内側に向けて傾斜してそれぞれ設けられている。
【００４６】
また、図示を省略したが、先に説明したはさみのように、該刃体１２ａ、１２ｂの切先側の棟側の端から刃部の支軸側の端を越えた刃体の刃先側の端に至る折目２４ａ、２４ｂが該刃部の前記の棟側にそれぞれ形成され、前記のそれぞれの折目２４ａ、２４ｂを境にして前記した刃部が互いに内側に向けて折曲されてなることにより、裁断器Ｋが構成されている（図３、図４、図５を参照）。
【００４７】
かくして、一対の刃体１２ａ、１２ｂと支軸１４の３点からなるから、その構造は、簡単であり、その上、その構造は従来例の裁断器Ｋに比較して遜色がないから、使用上の違和感がない。
さらに、簡単な構造ながら、被切断物の切断時における不慮のトラブルの発生のおそれがなく、粘着テープなどの粘着性の高い被切断物の粘着剤が刃体１２ａ、１２ｂに付着し難いシート用刃物としての裁断器Ｋを得ることができる。
【００４８】
さらに、ギロチンカッタの実施の形態については、図示を省略したが、一対の刃体の一方を回動自在に設け、先に説明したはさみや裁断器Ｋの構成をそっくり採用することによりギロチンカッタを設けることができる。
回動自在な一方の刃体は電気制御され可動されることはいうまでもない。
【００４９】
そして、裁断器Ｋと同様に一対の刃体と支軸の３点からなるから、その構造は、簡単であり、その上、その構造は従来例のギロチンカッタに比較して遜色がないから、使用上の違和感がない。
さらに、簡単な構造ながら、被切断物の切断時における不慮のトラブルの発生のおそれがなく、粘着テープなどの粘着性の高い被切断物の粘着剤が刃体に付着し難いシート用刃物としてのギロチンカッタを得ることができる。
【００５０】
【図面の簡単な説明】
【図１】実施の形態に係るはさみの一対の刃体を閉じた状態を示す平面図である。
【図２】一対の刃体を開いた状態を示す平面図である。
【図３】図２の要部の正面図である。
【図４】図３のＡ−Ａ線拡大縦断面図である。
【図５】図３のＢ−Ｂ線拡大縦断面図である。
【図６】他のはさみの例の要部の正面図である。
【図７】図６のＣ−Ｃ線拡大縦断面図である。
【図８】さらに他のはさみの例の要部の正面図である。
【図９】図８のＤ−Ｄ線拡大縦断面図である。
【図１０】他の実施の形態であって裁断器の正面斜視図である。
【図１１】図１０の背面斜視図である。
【符号の説明】
１０  ハンドル
１２ａ  刃体
１２ｂ  刃体
１４  支軸
１６ａ  切先
１６ｂ  切先
１８ａ  刃先
１８ｂ  刃先
２０ａ  棟
２０ｂ  棟
２２ａ  刃部
２２ｂ  刃部
２４ａ  折目
２４ｂ  折目
２６  摩擦機構
２８  基台
Ｘ  刃体の切先側の棟側の端
Ｙ  刃部の支軸側の端
Ｚ  刃体の刃先側の端
ｄ  間隙
α  角度
Ｓ  はさみ
Ｋ  裁断器
【図１】
2004248707.tif 000003
【図２】
2004248707.tif 000004
【図３】
2004248707.tif 000005
【図４】
2004248707.tif 000006
【図５】
2004248707.tif 000007
【図６】
2004248707.tif 000008
【図７】
2004248707.tif 000009
【図８】
2004248707.tif 000010
【図９】
2004248707.tif 000011
【図１０】
2004248707.tif 000012
【図１１】
2004248707.tif 000013